(57)【要約】【課題】便座支持体と開閉揺動自在な暖房便座を電気コードで接合しない電磁誘導給電式の暖房便座装置であって、便座開状態及び便座閉状態のいずれでも便座加熱手段へ給電可能なものにおいて、各コイルの設置箇所を揺動中心線の近傍に限定しないようにする。【解決手段】暖房便座４の座部４ｂの後端側から延出された腕部４ｃが便座支持体３に揺動自在に取付けられる。二次コイル７が座部４ｂの後端側のうち便座開状態及び便座閉状態のときに便座支持体３に対向して近接する領域Ｓ２内に設けられている。一方の一次コイル６Ａが、便座支持体３のうち便座開状態の二次コイル７に対向して近接する領域に設けられている。他方の一次コイル６Ｂが、便座支持体３のうち便座閉状態の二次コイル７に対向して近接する領域に設けられている。【選択図】図２
2009189466.tif 000002
【特許請求の範囲】
【請求項１】
便座支持体と、便座支持体に開閉揺動自在に取付けられ便座加熱手段が内蔵された暖房便座と、便座支持体に設けられた一方の一次コイル及び他方の一次コイル並びに暖房便座に設けられた二次コイルを有する給電装置とを備え、便座開状態のときに一方の一次コイルと二次コイルとが近接して両コイルに生じる相互誘導で便座加熱手段へ給電し、便座閉状態のときに他方の一次コイルと二次コイルとが近接して両コイルに生じる相互誘導で便座加熱手段へ給電する暖房便座装置において、暖房便座は、座部の後端側から延出した腕部が便座支持体に揺動自在に取付けられ、二次コイルが座部の後端側のうち便座開状態及び便座閉状態のときに便座支持体に対向して近接する領域に設けられ、便座支持体は、一方の一次コイルが便座開状態の二次コイルに対向して近接する領域に設けられ、他方の一次コイルが便座閉状態の一次コイルに対向して近接する領域に設けられていることを特徴とする暖房便座装置。
【請求項２】
便座開状態を検知して開状態信号を発すると共に便座閉状態を検知して閉状態信号を発する便座状態検知手段を備え、前記給電装置は、便座開状態信号を受けて一方の一次コイルのみへ給電し、便座閉状態信号を受けて他方の一次コイルのみへ給電する制御回路を備える請求項１記載の暖房便座装置。
【発明の詳細な説明】
【技術分野】
【０００１】
本発明は、便座支持体と開閉揺動自在な暖房便座を電気コードで接合しない電磁誘導給電式の暖房便座装置であって、便座開状態及び便座閉状態のいずれであっても便座加熱手段へ給電できるものに関する。
【背景技術】
【０００２】
従来、電磁誘導給電式の暖房便座装置は、便座支持体と、便座支持体に開閉揺動自在に取付けられヒータが内蔵された暖房便座と、給電装置とを備える。該給電装置は、便座支持体側に備える一方の一次コイル及び他方の一次コイル並びに暖房便座側に備える二次コイルを便座の揺動中心線の近傍に設置し、便座開状態のときに一方の一次コイルと二次コイルとが近接して両コイルに相互誘導を生じさせることでヒータへ給電し、便座閉状態のときに他方の一次コイルと二次コイルとが近接して両コイルに相互誘導を生じさせることでヒータへ給電するようになっている（特許文献１の図１４）。
【特許文献１】特許第３５９６５６４号公報
【発明の開示】
【発明が解決しようとする課題】
【０００３】
しかし、前記暖房便座装置は、両方の一次コイル及び二次コイルの設置について、便座の揺動中心線の近傍に設置箇所があるため、設計上の制約が多い問題があった。
【０００４】
本発明は、上記問題を解決するために、便座の揺動中心線から離れた箇所に両方の一次コイル及び二次コイルを設置することができる暖房便座装置の提供を目的とする。
【課題を解決するための手段】
【０００５】
二次コイルの設置箇所を便座の揺動中心線の近傍に限定しないようにするために請求項１記載の本発明が採用した手段は、便座支持体と、便座支持体に開閉揺動自在に取付けられ便座加熱手段が内蔵された暖房便座と、便座支持体に設けられた一方の一次コイル及び他方の一次コイル並びに暖房便座に設けられた二次コイルを有する給電装置とを備え、便座開状態のときに一方の一次コイルと二次コイルとが近接して両コイルに生じる相互誘導で便座加熱手段へ給電し、便座閉状態のときに他方の一次コイルと二次コイルとが近接して両コイルに生じる相互誘導で便座加熱手段へ給電する暖房便座装置において、暖房便座は、座部の後端側から延出した腕部が便座支持体に揺動自在に取付けられ、二次コイルが座部の後端側のうち便座開状態及び便座閉状態のときに便座支持体に対向して近接する領域に設けられ、便座支持体は、一方の一次コイルが便座開状態の二次コイルに対向して近接する領域に設けられ、他方の一次コイルが便座閉状態の一次コイルに対向して近接する領域に設けられていることを特徴とする暖房便座装置である。
【０００６】
省電力化するために請求項２記載の本発明が採用した手段は、便座開状態を検知して開状態信号を発すると共に便座閉状態を検知して閉状態信号を発する便座状態検知手段を備え、前記給電装置は、便座開状態信号を受けて一方の一次コイルのみへ給電し、便座閉状態信号を受けて他方の一次コイルのみへ給電する制御回路を備える請求項１記載の暖房便座装置である。
【発明の効果】
【０００７】
請求項１記載の本発明に係る暖房便座装置は、二次コイルの設置箇所を便座の揺動中心線から離れた座部の後端側とすると共に、両方の一次コイルの設置箇所を便座の揺動中心線から離れた便座支持体の領域とすることで、二次コイル及び一次コイルを設置するための設計上の制限を緩和させることができる。
【０００８】
請求項２記載の本発明に係る暖房便座装置は、便座開状態のときには使用する一方の一次コイルへ給電して使用しない他方の一次コイルへの励磁を停止し、便座閉状態のときには使用する他方の一次コイルへ給電して使用しない一方の一次コイルへの励磁を停止するので、不使用の一次コイルへの電力供給が省かれて省電力化できる。
【発明を実施するための最良の形態】
【０００９】
本発明に係る暖房便座装置（以下、「本発明装置」と言う。）を図面に示す実施の形態に基づいて説明する。
【００１０】
（第１の実施の形態）
図１乃至図３は本発明装置の第１の実施の形態を示すものである。図１は便器本体２の下側部分を省略した左側側面図であって、伏倒状態（閉状態）の暖房便座４を実線で示すと共に起立状態（開状態）の暖房便座４を二点鎖線で示したものである。図２は図１中の一点鎖線イで囲まれた部分を拡大した側面図である。図３は、便座閉状態のときを示す平面図であって、便座支持体３のハウジング３ａの一部を破断し内蔵されている一次コイル６Ａ，６Ｂのうち他方の一次コイル６Ｂを示すと共に、暖房便座４のハウジング４ｄの一部を破断し内蔵されている二次コイル７を示したものである。
【００１１】
本発明装置１は、便座支持体３と、便座支持体３に開閉揺動自在に取付けられ便座加熱手段４ａが内蔵された暖房便座４と、両者３，４に亘って設けられ便座加熱手段４ａへ給電する給電装置５と、必要に応じて設けられる便座開閉状態検知手段１２とを備える。本発明装置１は、便器本体２の上面側でタンクＴよりも前側に便座支持体３を設置して用いられ、暖房便座４を開いて起立停止させることで男子が小用できる便座開状態を得るようになっており、暖房便座４を閉じて伏倒停止させることで着座して使用できる便座閉状態を得るようになっている。なお、便座４の着座部を加熱する便座加熱手段４ａは、本例では、電気ヒータを採用しているが、これ以外には、電磁コイルと電磁コイルに接近した発熱体とからなり、電磁誘導加熱の原理で発熱体を発熱させて着座部を加熱するものであってもよい。
【００１２】
前記便座支持体３は、上面部３ａ−１、前面部３ａ−２、左側面部３ａ−３、右側面部３ａ−４、便座支持体３ａに取付けられる底面部３ａ−５及び背面部３ａ−６を有するハウジング３ａを備え、ハウジング３ａの内側に便座開閉状態検知手段１２や給電装置５の一部（後述する制御器８、一次コイル６Ａ，６Ｂ、配線１４）が設けられている。
【００１３】
前記暖房便座４は、使用者が着座する座部４ｂと、座部４ｂの後端側から延出する腕部４ｃとを備え、座部４ｂを形成するハウジング４ｄの内側に便座加熱手段４ａや給電装置５の一部（後述する二次コイル７）が設けられる。
【００１４】
便座支持体３に対する暖房便座４の取付けは、便座支持体３に枢支手段９を介して暖房便座４の腕部４ｃを揺動自在に支持することで、座部４ｂの後端側を便座揺動中心線Ｅより離してある。本実施の形態では、図３に示す如く、暖房便座４の座部４ｂの後端側の左右側から腕部４ｃ，４ｃを延出すると共に、左右の腕部４ｃ，４ｃの先端側を、便座支持体３の左右側面部３ａ−３，３ａ−４又はハウジング３ａに内蔵した支持部に枢支手段９，９を介して揺動自在に支持してある。
【００１５】
前記便座支持体３及び暖房便座４は、暖房便座４の座部４ｂの後端側に領域Ｓ２が形成され、便座開状態の暖房便座４の領域Ｓ２に近接して対向する便座支持体３の上面部３ａ−１側に領域Ｓ１−１が形成され、便座閉状態の暖房便座４の領域Ｓ２に近接して対向する前面部３ａ−２側に領域Ｓ１−２が形成されている。これら領域Ｓ１−１，Ｓ１−２及びＳ２は、便座揺動中心線Ｅより離れているため、後述の各コイル６Ａ，６Ｂ，７を設けるのに充分な大きさを確保して形成されている。本実施の形態あっては、これら領域Ｓ１−１，Ｓ１−２，Ｓ２が両腕部４ｃ，４ｃよりも内側に形成される。
【００１６】
前記給電装置５は、図２に示す如く、制御器８と、制御器８と便座加熱手段４ａとの間を通電する配線１４と、配線１４の途中に設けた一次コイル６Ａ，６Ｂ及び二次コイル７とで構成される。
【００１７】
各コイル６Ａ，６Ｂ，７の配置の態様は、一方の一次コイル６Ａが便座支持体３の上方の領域Ｓ１−１内に設けられ、他方の一次コイル６Ｂが便座支持体３の下方の領域Ｓ１−２内に設けられ、二次コイル７が暖房便座４の領域Ｓ２内に設けられ、便座開状態のときに二次コイル７を一方（上方）の一次コイル６Ａに近接した状態で対向させ、便座閉状態のときに二次コイル７を他方（下方）の一次コイル６Ｂに近接した状態で対向させ、便座揺動中心線Ｅから見て便座開状態及び便座閉状態のときの二次コイル７が一次コイル６Ａ，６Ｂよりも外側（便座揺動中心線Ｅから離れる側）に位置するようにしてある。
【００１８】
各コイル６Ａ，６Ｂ，７は、図３に示す如く、中間部１１ａの左右両端側から腕部１１ｂ，１１ｂを突出させたコ字状のコア１１と、該コア１１に巻回された巻線部１０とを備え、コア１１の中間部１１ａの長手方向が便座４の揺動中心線Ｅ（図３参照）と略平行となるように配置することで、便座４が揺動中心線Ｅに沿って位置ズレしたとしても、給電量の低下を少なくできる。各コイル６Ａ，６Ｂ，７は、便座開状態のときには二次コイル７のコア１１の両端面１１ｃ，１１ｃと一方の一次コイル６Ａのコア１１の両端面１１ｃ，１１ｃとを対向させ、又、便座閉状態のときには二次コイル７のコア１１の両端面１１ｃ，１１ｃと他方の一次コイル６Ｂのコアの両端面１１ｃ，１１ｃとを対向させるようにしてある。給電装置５は、コア１１の端面１１ｃが揺動中心線Ｅに沿う左右方向に延びた２辺と左右方向と直交する方向に延びた２辺からなる四辺形に形成されており、便座４が開状態及び閉状態のときに左右方向又は直交方向へ若干位置ズレしたとしても、端面１１ｃどうしが対向する面積が多いので、給電量の低下を少なくできる。
【００１９】
前記給電装置５の制御器８は、図２に示す如く、便所コンセント（図示省略）に接続された給電部１３ａと、給電部１３ａに接続され一次コイル６Ａ，６Ｂへの給電をＯＮ／ＯＦＦする切替回路１３ｂとを備える制御回路１３が設けられている。
【００２０】
前記便座開閉検知手段１２は、便座支持体３の上面部３ａ−１側に設けられ開状態の便座４の座部４ｂの後端側を検知して開状態信号を発するセンサ１２Ａと、便座支持体３の前面部３ａ−２側に設けられ閉状態の便座４の座部４ｂの後端側を検知して閉状態信号を発するセンサ１２Ｂとを備え、各センサ１２Ａ，１２Ｂが配線１５を介して給電装置５の制御器８の切替回路１３ｂに接続されている。なお、便座開閉検知手段１２は、センサ１２Ａ，１２Ｂの代わりに、便座支持体３に便座４の腕部４ｃを枢支する枢支手段９の近傍に設けられ便座４の回動状態を検知して便座開状態信号及び便座閉状態信号を発するセンサ（例えば磁性体スイッチ素子からなるスイッチセンサ）を採用し、該センサを配線１５を介して給電装置５の制御器８の切替回路１３ｂに接続するようにしてもよい。
【００２１】
前記給電装置５の切替回路１３ｂは、（１）センサ１２Ａの便座開状態信号を受けて且つセンサ１２Ｂの便座閉状態信号を受けない場合（便座開状態）には、一方の一次コイル６Ａへ給電し他方の一次コイル６Ｂへの励磁を停止し、（２）センサ１２Ｂの便座閉状態信号を受けて且つセンサ１２Ａの便座開状態信号を受けない場合（便座開状態）には、他方の一次コイル６Ｂへ給電し一方の一次コイル６Ａへの励磁を停止し、（３）センサ１２Ａの便座開状態信号及びセンサ１２Ｂの便座閉状態信号を受けない場合（便座４の開状態又は閉状態へ至る途中）には、両方の一次コイル６Ａ，６Ｂへの励磁を停止するようになっている。
【００２２】
前記給電装置５は、便座開状態及び便座閉状態の各状態のときに、一方の一次コイル６Ａ又は他方の一次コイル６Ｂと二次コイル７とが対向して近接し、両コイル６Ａ（又は６Ｂ），７に生じる相互誘導で便座加熱手段４ａへ給電する。このとき、給電装置５は、使用すべき一次コイル６Ａ（又は６Ｂ）のみへ給電して使用しない一次コイル６Ｂ（又は６Ａ）への励磁を停止するので、不使用の一次コイルの励磁を省いて省電力化を図ると共に、不使用の一次コイルに接近した磁気カード等の異物を励磁させることもなく安全を確保できる。また、給電装置５は、便座４の開状態又は閉状態へ至る途中においても、両方の一次コイル６Ａ，６Ｂへの励磁を停止するので、同様に省電力化や安全を確保することができる。更に、給電装置５は、給電状態のコイル６Ａ（又は６Ｂ），７のコア１１の両端面１１ｃが互いに対向して近接することで、コイル６Ａ（又は６Ｂ），７間の漏れ磁束が少なくなり、給電効率を良好にできる。
【００２３】
本発明装置１は、便座支持体３から暖房便座４を分離できるようにして、暖房便座４や便座支持体３の清掃性を高めるようにすることもある。また、暖房便座４は、内蔵した便座加熱手段４ａ及び二次コイル７等の電気部品に水を接触させないように防水構造にして、丸洗いできるようにすることもある。
【００２４】
本発明装置１は、二次コイル７を設ける暖房便座４の座部４ｂの後端側の領域Ｓ２、一次コイル６Ａを設ける便座支持体３の上面部３ａ−１側の領域Ｓ１−１及び一次コイル６Ｂを設ける便座支持体３の前面部３ａ−２側の領域Ｓ１−２の各々が、便座揺動中心線Ｅより離れているため、各コイル６Ａ，６Ｂ，７を設けるのに充分な大きさを確保することができ、便座加熱手段４ａへの給電を円滑にできる最適な大きさのコイル７，６Ａ，６Ｂを設けることが可能となり、従来に比べて二次コイル７及び一次コイル６Ａ（６Ｂ）を設置するための設計上の制限を緩和させることができる。
【００２５】
（第２の実施の形態）
図４は、本発明装置の第２の実施の形態を示す平面図であり、便座閉状態のときを示すものであって、便座支持体２３のハウジング２３ａの一部を破断し内蔵された２つの一次コイルのうち他方の一次コイル６Ｂを示すと共に、暖房便座２４のハウジング２４ｄの一部を破断し内蔵された二次コイル７を示したものである。
【００２６】
本実施の形態に係る本発明装置２１は、前記第１の実施の形態と同様に、便座支持体２３と、便座支持体２３に開閉揺動自在に取付けられた暖房便座２４と、暖房便座２４の便座加熱手段へ給電する給電装置５とを備えている。本実施の形態に係る本発明装置２１が前記第１の実施の形態と大きく相違する点は、便座支持体２３の中央側の上面部２３ａ−１側から前面部２３ａ−２側に亘って開設した凹部２３ｂに、暖房便座２４の座部２４ｂの後端中央側から延出した腕部２４ｃを嵌装させ、凹部２３ｂの左右側面部２３ｂ−１，２３ｂ−２又はハウジング２３ａに内蔵した支持部に枢支手段９，９を介して暖房便座２４の腕部２４ｃの左右側を揺動自在に支持し、暖房便座２４の座部２４ｂの後端側の左右に領域Ｓ２を形成し、便座開状態の暖房便座２４の領域Ｓ２に近接して対向する便座支持体２３の上面部２３ａ−１側の左右に領域Ｓ１−１を形成し、便座閉状態の暖房便座２４の領域Ｓ２に近接して対向する便座支持体２３の前面部２３ａ−２側の左右に領域Ｓ１−２を形成したことである。
【００２７】
暖房便座２４の左右の領域Ｓ２、便座支持体２３の左右の領域Ｓ１−１及び領域Ｓ１−２は、左右の何れか一方又は両方にコイルが設けられ、暖房便座２４の領域Ｓ２に設けた二次コイル７と便座支持体２３の上方の領域Ｓ１−１に設けた一次コイル６Ａとが便座開状態のときに近接して対向し、暖房便座２４の領域Ｓ２に設けた二次コイル７と便座支持体２３の下方の領域Ｓ１−２に設けた一次コイル６Ｂとが便座閉状態のときに近接して対向するようにしてある。
【００２８】
便座支持体２３は、上面部２３ａ−１、前面部２３ａ−２、左側面部２３ａ−３、右側面部２３ａ−４、便座支持体（図示略）に取付けられる底面部（図示略）及び背面部（図示略）を有するハウジング２３ａを備え、ハウジング２３ａの内側に便座開閉状態検知手段１２や給電装置の一部（制御器や、一方の一次コイル、他方の一次コイル６Ｂ、配線）を設けている。暖房便座２４は、座部２４ｂのハウジング２４ｄの内側に便座加熱手段や給電装置の一部（二次コイル７、配線）を設けている。
【００２９】
本発明装置２１は、第１の実施の形態と同様に、二次コイル７を設ける暖房便座２４の領域Ｓ２、一次コイル６Ａを設ける便座支持体２３の領域Ｓ１−１及び一次コイル６Ｂを設ける便座支持体２３の領域Ｓ１−２の各々が、便座揺動中心線Ｅより離れているため、各コイル６Ａ，６Ｂ，７を設けるのに充分な大きさを確保することができ、暖房便座２４の便座加熱手段への給電を円滑にできる最適な大きさのコイル７，６Ａ，６Ｂを設けることが可能となり、従来に比べて二次コイル７及び一次コイル６Ａ（６Ｂ）を設置するための設計上の制限を緩和させることができる。
【図面の簡単な説明】
【００３０】
【図１】本発明装置の第１の実施の形態を示すものであって、便器本体の下側部分を省略した左側側面図であり、伏倒状態の暖房便座を実線で示すと共に起立状態の暖房便座を二点鎖線で示したものである。
【図２】同実施の形態において、図１中の一点鎖線イで囲まれた部分を拡大した側面図である。
【図３】同実施の形態において、便座閉状態のときを示す平面図であって、便座支持体のハウジングを破断し内蔵された一次コイルのうち他方の一次コイルを示し、暖房便座のハウジングを破断し内蔵された二次コイルを示したものである。
【図４】同実施の形態において、本発明装置の第２の実施の形態を示す平面図であり、便座閉状態のときを示すものであって、便座支持体のハウジングを破断し内蔵された一次コイルのうち他方の一次コイルを示し、暖房便座のハウジングを破断し内蔵された二次コイルを示したものである。
【符号の説明】
【００３１】
１…暖房便座装置  ３…便座支持体  ４…暖房便座  ４ａ…便座加熱手段
４ｂ…座部  ４ｃ…腕部  ５…給電装置  ６Ａ…一方の一次コイル  
６Ｂ…他方の一次コイル  ７…二次コイル  １２…便座状態検出装置  
Ｓ１−１…領域  Ｓ１−２…領域  Ｓ２…領域
【図１】
2009189466.tif 000003
【図２】
2009189466.tif 000004
【図３】
2009189466.tif 000005
【図４】
2009189466.tif 000006